(57)【要約】  【課題】  取着体への取着状態を維持することができ、取着体から不測に外れる事態を防ぐことができるアダプタ装置を提供する。  【解決手段】  カメラ等の携帯機器に係止される被係止部１１，１１を有する摺動体１と、該摺動体１を前記被係止部１１，１１が携帯機器に係止される係止位置と係止解除位置とに摺動可能に支持した支持体２と、摺動体１を係止位置方向へ弾圧する引張ばね３ａと、摺動体１が係止位置へ摺動したとき、該摺動体１の係止解除位置側への摺動を規制する規制体４とを備え、携帯機器への取着状態を維持することができるようにした。【選択図】      図３
2005309098.tif 000002
【特許請求の範囲】
【請求項１】
取着体に取外し可能に取着されるアダプタ装置において、前記取着体に係止される被係止部を有する摺動体と、該摺動体を前記被係止部が取着体に係止される係止位置と係止解除位置とに摺動可能に支持した支持体と、前記摺動体が係止位置へ摺動したとき、該摺動体の係止解除位置側への摺動を規制する規制体とを備えていることを特徴とするアダプタ装置。
【請求項２】
前記摺動体を係止位置方向へ弾圧する弾圧体を備えている請求項１記載のアダプタ装置。
【請求項３】
前記摺動体は前記被係止部側に可撓片を有しており、前記支持体は前記可撓片に係合して前記摺動体を係止解除位置に停止させる係合部を有する請求項１又は２記載のアダプタ装置。
【請求項４】
前記規制体は前記摺動体の摺動方向と交差する枢軸に枢支されており、該規制体を付勢する付勢ばねを有する請求項１乃至３のいずれか一つに記載のアダプタ装置。
【請求項５】
前記支持体は可動操作部と、該可動操作部の動作を検知する検知手段及び該検知手段に接続されたコネクタとを有する請求項１乃至４のいずれか一つに記載のアダプタ装置。
【請求項６】
撮像部を有する携帯機器本体と、該携帯機器本体に取外し可能に取着された請求項１乃至５のいずれか一つに記載のアダプタ装置とを備えていることを特徴とする携帯機器。
【発明の詳細な説明】
【技術分野】
【０００１】
本発明は取着体に取外し可能に取着されるアダプタ装置及びこれを用いたカメラ等の携帯機器に関する。
【背景技術】
【０００２】
デジタルカメラ等の比較的小型の携帯機器は、把持して撮像するとき、撮像の障害にならない個所が少なく、把持し難いため、携帯機器の把持性及び操作性を高めるべく補助グリップが取着されている（例えば、特許文献１）。
【特許文献１】特開２００４−６２０７７号公報
【発明の開示】
【発明が解決しようとする課題】
【０００３】
ところが、特許文献１のように補助グリップ等のアダプタ装置が取着された場合、携帯機器からアダプタ装置が突出することになるため、アダプタ装置を必要としない場合においても携帯機器の全体が大型になると言う問題がある。また、アダプタ装置を取外し可能に取着した場合、アダプタ装置を把持して使用しているとき、該アダプタ装置の取着が不測に外れる可能性がある。このようにアダプタ装置が不測に外れた場合、携帯機器が脱落し、破壊することになるため、アダプタ装置が不測に外れないようにすることが望まれる。
【０００４】
本発明は斯かる事情に鑑みてなされたものであり、主たる目的は取着体に係止される被係止部を有する摺動体と、該摺動体を係止位置と係止解除位置とに摺動可能に支持した支持体と、摺動体が係止位置へ摺動したとき、該摺動体の係止解除位置側への摺動を規制する規制体とを備える構成とすることにより、取着体への取着状態を維持することができ、取着体から不測に外れる事態を防ぐことができるアダプタ装置を提供することにある。
【０００５】
また、他の目的は摺動体を係止位置方向へ弾圧する弾圧体を設けることにより、規制体による摺動体の摺動規制が不測に解除された場合においても摺動体の係止解除位置側への摺動を止めることが可能なアダプタ装置を提供することにある。
【０００６】
また、他の目的は摺動体に可撓片を設け、該可撓片に係合して前記摺動体を係止解除位置に停止させる係合部を支持体に設けることにより、アダプタ装置を簡易に取着することができるアダプタ装置を提供することにある。
【０００７】
また、他の目的は規制体を摺動体の摺動方向と交差する枢軸に枢支し、該規制体を付勢する付勢ばねを設けることにより、アダプタ装置の取着及び取外しの操作性を向上できるアダプタ装置を提供する。
【０００８】
また、他の目的は可動操作部と、該可動操作部の動作を検知する検知手段及び該検知手段に接続されたコネクタとを支持体に設けることにより、可動操作部が取着体の操作部を兼ねることができ、アダプタ装置を把持した状態で取着体を容易に操作することが可能なアダプタ装置を提供することにある。
【０００９】
また、他の目的は撮影部を有する携帯機器本体と、該携帯機器本体に取外し可能に取着された前記アダプタ装置とを備える構成とすることにより、携帯機器の操作性を良好にでき、しかも、携帯機器を使用しない場合、アダプタ装置を携帯機器本体から簡易に取外すことができる携帯機器を提供することにある。
【課題を解決するための手段】
【００１０】
本発明に係るアダプタ装置は、取着体に取外し可能に取着されるアダプタ装置において、前記取着体に係止される被係止部を有する摺動体と、該摺動体を前記被係止部が取着体に係止される係止位置と係止解除位置とに摺動可能に支持した支持体と、前記摺動体が係止位置へ摺動したとき、該摺動体の係止解除位置側への摺動を規制する規制体とを備えていることを特徴とする。
【００１１】
この発明にあっては、摺動体を摺動操作し、該摺動体を係止位置へ摺動させることにより被係止部を取着体に係止することができ、さらに、規制体が回転移動することにより摺動体の係止解除位置側への摺動を規制することができるため、アダプタ装置の取着状態を維持することができ、アダプタ装置が不測に外れる事態を防ぐことができる。
【００１２】
また、本発明に係るアダプタ装置は、前記摺動体を係止位置方向へ弾圧する弾圧体を備えていることを特徴とする。
【００１３】
この発明にあっては、弾圧体により摺動体を係止位置へ弾圧することができるため、規制体による摺動体の摺動規制が不測に解除された場合においても摺動体の係止解除位置側への摺動を止めることが可能であり、アダプタ装置の取着状態を維持することができる。
【００１４】
また、本発明に係るアダプタ装置は、前記摺動体は前記被係止部側に可撓片を有しており、前記支持体は前記可撓片に係合して前記摺動体を係止解除位置に停止させる係合部を有することを特徴とする。
【００１５】
この発明にあっては、可撓片が係合部に係合して摺動体を係止解除位置に停止させているため、アダプタ装置を取着体に取着するとき、摺動体及び規制体を操作することなくアダプタ装置を取着体に添付することができ、この添付状態で摺動体が摺動されることによりアダプタ装置を取着体に取着することができるため、アダプタ装置を簡易に取着することができる。
【００１６】
また、本発明に係るアダプタ装置は、前記規制体は前記摺動体の摺動方向と交差する枢軸に枢支されており、該規制体を付勢する付勢ばねを有することを特徴とする。
【００１７】
この発明にあっては、摺動体を摺動操作する方向の動きで規制体の回動位置を規制できるため、摺動体の摺動規制及び規制解除操作を簡易にでき、アダプタ装置の取着及び取外し操作性を向上できる。
【００１８】
また、本発明に係るアダプタ装置は、前記支持体は可動操作部と、該可動操作部の動作を検知する検知手段及び該検知手段に接続されたコネクタとを有することを特徴とする。
【００１９】
この発明にあっては、アダプタ装置の支持体を把持した手で可動操作部を操作することができるため、コネクタを携帯機器等の取着体に接続することにより、取着体の操作部を兼ねることができ、アダプタ装置を把持した状態で取着体を容易に操作することが可能である。
【００２０】
また、本発明に係る携帯機器は、撮影部を有する携帯機器本体と、該携帯機器本体に取外し可能に取着された前記アダプタ装置とを備えていることを特徴とする。
【００２１】
この発明にあっては、携帯機器本体にアダプタ装置が取着されており、例えばアダプタ装置を把持して携帯機器本体を任意の方向へ位置変更させることができるため、携帯機器の操作性を良好にでき、しかも、携帯機器を使用しない場合、規制体による摺動体の摺動規制を解除することによりアダプタ装置を携帯機器本体から簡易に取外すことができる。
【発明の効果】
【００２２】
以上詳述したように本発明によれば、規制体を回動することにより摺動体の係止解除位置側への摺動を規制することができるため、アダプタ装置の取着状態を維持することができ、アダプタ装置が不測に外れる事態を防ぐことができる。
【００２３】
また、本発明によれば、規制体による摺動体の摺動規制が不測に解除された場合においても摺動体の係止解除位置側への摺動を弾圧体により止めることが可能であり、アダプタ装置の取着状態を維持することができる。
【００２４】
さらに、本発明によれば、アダプタ装置を取着体に取着するとき、摺動体及び規制体を操作することなくアダプタ装置を取着体に添付することができ、この添付状態で摺動体が摺動操作されることによりアダプタ装置を取着体に取着することができるため、アダプタ装置を簡易に取着することができる。
【００２５】
また、本発明によれば、摺動体を摺動操作する方向の動きで規制体の回動位置を規制できるため、摺動体の摺動規制及び規制解除操作を簡易にでき、アダプタ装置の取着及び取外しの操作性を向上できる。
【００２６】
また、本発明によれば、コネクタを携帯機器等の取着体に接続することにより、可動操作部が取着体の操作部を兼ねるため、アダプタ装置を把持した状態で取着体を容易に操作することが可能である。
【００２７】
また、本発明によれば、アダプタ装置を把持して携帯機器本体を任意の方向へ位置変更させることができるため、携帯機器の操作性を良好にでき、しかも、携帯機器を使用しない場合、規制体による摺動体の摺動規制を解除することによりアダプタ装置を携帯機器本体から簡易に取外すことができる。
【発明を実施するための最良の形態】
【００２８】
以下本発明をその実施の形態を示す図面に基づいて詳述する。図１及び図２は本発明に係るアダプタ装置の斜視図、図３はアダプタ装置の拡大断面図、図４は規制体部分だけの斜視図である。
このアダプタ装置Ａは、デジタルカメラ等の取着体としての携帯機器に係止される被係止部１１を有する摺動体１と、該摺動体１を前記被係止部１１が後記する係止部に係止される係止位置と係止解除位置とに摺動可能に支持した支持体２と、摺動体１を係止位置方向へ弾圧する弾圧体３と、摺動体１が係止位置へ摺動したとき、該摺動体１の係止解除位置側への摺動を規制する規制体４とを備えている。
【００２９】
支持体２は矩形の枠部２ａと、該枠部２ａの両側から略平行的に延出された２つの延出部２ｂ，２ｃとを有しており、枠部２ａの一辺部に摺動体１を収容するための収容部２１と、該収容部２１から一面に貫通する第１孔２２と、収容部２１から摺動体１の摺動方向に離隔して他面に貫通する２つの第２孔２３，２３と、第２孔２３，２３間で収容部２１から他面に貫通し、係合部２４を有する第３孔２５とが設けられている。また、収容部２１内には掛止片２６が突設されており、該掛止片２６と摺動体１との間に弾圧体としての引張ばね３ａが張設されており、該引張ばね３ａが摺動体１を係止位置へ弾圧している。また、支持体２の第１孔２２に臨む位置には第１孔２２とほぼ等幅の凹所２７が設けられており、該凹所２７に規制体４が枢支されている。
【００３０】
延出部２ｂには摺動体１の摺動方向と交差する方向に穿設された保持孔２８と、該保持孔２８に移動可能に保持された可動操作部７と、該可動操作部７の動作を検知するセンサ等の検知手段８とが設けられており、さらに、検知手段８に接続されたコネクタ９が支持体２の枠部２ａに設けられている。
【００３１】
摺動体１は合成樹脂により略角柱形に成形されており、長手方向の一端部に第１孔２２に嵌入された操作凸部１２が設けられており、長手方向の途中及び一端部に、第２孔２３，２３に嵌入された鉤形の被係止部１１，１１が設けられており、さらに、被係止部１１，１１の間に第３孔２５に嵌入され、係合部２４に係合した可撓片１３が設けられている。被係止部１１，１１は摺動体１の摺動方向と直交的に延出された延出部１１ａ，１１ａ及び該延出部１１ａ，１１ａの先端から屈曲した鉤部１１ｂ，１１ｂを有しており、鉤部１１ｂ，１１ｂが後記する携帯機器の係止部に係止されるように構成されている。また、操作凸部１２の表面部には規制体４を容易に操作するための凹部１４が設けられている。尚、被係止部１１は２つである他、１つ又は３つ以上であってもよく、個数は制限されない。
【００３２】
規制体４は第１孔２２に臨む凹所２７の摺動体１と離隔した位置に摺動体１の摺動方向と交差する枢軸５により枢支されており、摺動体１を摺動操作する動きで回動位置を規制できるように構成されている。また、枢軸５には途中が巻回された付勢ばね６の巻回部が外嵌され、付勢ばね６の一端部が支持体２に、また、他端部が規制体４のばね受部４ａにそれぞれ係合されており、規制体４を摺動体１側へ付勢している。また、規制体４は、支持体２の延出部２ｂ，２ｃ部分を把持したとき、把持した手の指が届かない位置、具体的には延出部２ｂ，２ｃ間の中央近傍に設け、延出部２ｂ，２ｃ部分を把持した手の指で規制体４が不測に操作されないようにしてある。尚、延出部２ｂ，２ｃ部分を把持した手の指で規制体４が不測に操作されないようにする手段として、把持した手で遮られる部分、例えば延出部２ｂ又は２ｃに規制体４を配設してもよい。
【００３３】
以上のように構成されたアダプタ装置Ａは、規制体４が図３のように規制解除位置へ回動し、摺動体１の摺動規制が解除され、摺動体１が引張ばね３ａの弾性復元力に打ち勝って係止解除位置へ摺動し、可撓片１３が第３孔２５の係合部２４に係合し、摺動体１を係止解除位置に停止させている。従って、摺動体１のガタ付きをなくすることができる。
【００３４】
図５はアダプタ装置を携帯機器に添付した状態の断面図、図６はアダプタ装置を携帯機器に取着した状態の断面図、図７及び図８はアダプタ装置を携帯機器に取着した状態の斜視図である。携帯機器Ｂはデジタルカメラであり、撮像部３０と、該撮像部３０を支持した携帯機器本体３１とを備えている。取着体としての携帯機器本体３１には、アダプタ装置Ａを携帯機器本体３１に添付したとき被係止部１１，１１が嵌入される凹状の２つの係止部３２，３２及び可撓片１３に当接する制御凸部３３が設けられている。係止部３２，３２は被係止部１１，１１が嵌入される略Ｌ字形の鉤孔からなり、被係止部１１，１１が嵌入された状態で摺動体１が摺動することにより、鉤部１１ｂ，１１ｂと係合し、該鉤部１１ｂ，１１ｂを係止するように構成されている。また、制御凸部３３は被係止部１１，１１が係止部３２，３２に嵌入されたとき可撓片１３に当接し、該可撓片１３を撓ませ、係合部２４との係合を解除することができるように構成されている。また、携帯機器本体３１には、撮像操作する可動操作部３４と、撮像部３０による撮像範囲を目視確認するためのファインダ３５と、前記コネクタ９に接続することが可能なコネクタ等とが設けられている。
【００３５】
アダプタ装置Ａを携帯機器Ｂに取着する場合、被係止部１１，１１を係止部３２，３２に嵌入させつつ支持体２を携帯機器本体３１に近付けると、制御凸部３３が可撓片１３に当接し、該可撓片１３が撓み、摺動体１の係止位置方向への摺動規制が解除される。この解除に伴い引張ばね３ａの弾性復元力により摺動体１が係止位置へ摺動し、被係止部１１，１１は係止部３２，３２に係止され、さらに、規制体４が付勢ばね６により規制位置に回動して操作凸部１２と対向し、摺動体１の係止解除側への摺動を規制する（図６参照）。この結果、アダプタ装置Ａは摺動体１の摺動方向への移動が被係止部１１，１１及び規制体４により防ぐことができ、さらに、携帯機器本体３１と離隔する方向への移動を被係止部１１，１１により防ぐことができるため、取着状態を維持することができる。しかも、規制体４は凹所２７に配置されており、支持体２に対して外部へ突出していないため、規制体４が不測に操作され難く、取着状態をより一層維持することができる。
【００３６】
アダプタ装置Ａを携帯機器Ｂから取外す場合、摺動体１の操作凸部１２に設けられた凹部１４に指を差し込むことにより、該指が規制体４の先端に当接するため、摺動体１を係止解除方向へ摺動させる力を加えることにより、規制体４を規制解除側へ回動させつつ摺動体１を係止解除位置へ摺動させることができ、係止部３２，３２による被係止部１１，１１の係止を解除できる。この結果、アダプタ装置Ａを携帯機器Ｂから離隔させることによりアダプタ装置Ａを取外すことができる。また、摺動体１が係止解除位置へ摺動したとき、可撓片１３が制御凸部３３に係合するため、アダプタ装置Ａを携帯機器Ｂから若干離隔させることにより可撓片１３が弾性復元し、該可撓片１３が第３孔２５の係合部２４に係合し、摺動体１を係止解除位置に維持することができる。従って、操作凸部１２の操作を止めた状態でアダプタ装置Ａを取外すことができ、この取外し作業を簡易にできる。
【００３７】
尚、以上説明した実施の形態では、弾圧体３及び可撓片１３を有する構成としたが、その他、弾圧体３及び可撓片１３をなくした構成としてもよいし、また、弾圧体３又は可撓片１３をなくした構成としてもよい。
また、弾圧体３として引張ばね３ａを用いたが、その他、弾圧体３は摺動体１を規制体４側から係止位置方向へ弾圧するコイルスプリングなどの弾性部材からなる構成としてもよい。
【００３８】
また、本発明に係るアダプタ装置Ａはグリップ機能を有する構成である他、グリップ機能がない構成であってもよい。また、本発明に係る携帯機器Ｂは、デジタルスチルカメラ、デジタルビデオカメラなどのカメラである他、カメラを除く形態機器であってもよい。
【図面の簡単な説明】
【００３９】
【図１】本発明に係るアダプタ装置の斜視図である。
【図２】本発明に係るアダプタ装置の斜視図である。
【図３】本発明に係るアダプタ装置の拡大断面図である。
【図４】本発明に係るアダプタ装置の規制体部分だけの斜視図である。
【図５】本発明に係るアダプタ装置を携帯機器に添付した状態の断面図である。
【図６】本発明に係るアダプタ装置を携帯機器に取着した状態の断面図である。
【図７】本発明に係るアダプタ装置を携帯機器に取着した状態の斜視図である。
【図８】本発明に係るアダプタ装置を携帯機器に取着した状態の斜視図である。
【符号の説明】
【００４０】
Ａ    アダプタ装置
Ｂ    携帯機器
１    摺動体
１１  被係止部
１３  可撓片
２    支持体
２４  係合部
３    弾圧体
４    規制体
５    枢軸
６    付勢ばね
７    可動操作部
８    検知手段
９    コネクタ
３０  撮像部
３１  携帯機器本体（取着体）
【図１】
2005309098.tif 000003
【図２】
2005309098.tif 000004
【図３】
2005309098.tif 000005
【図４】
2005309098.tif 000006
【図５】
2005309098.tif 000007
【図６】
2005309098.tif 000008
【図７】
2005309098.tif 000009
【図８】
2005309098.tif 000010